(57)【要約】【課題】フレームリピートやフレームスキップが生じた場合であっても、ＶＢＩの連続性を確保してビデオ信号を記録する。【解決手段】本発明のＤＶＤレコーダは、ＮＴＳＣ方式のテレビジョン信号をＩＴＵ−Ｒ  ＢＴ．６０１のビデオ信号に変換するＮＴＳＣデコーダ１５と、ＩＴＵ−Ｒ  ＢＴ．６０１のビデオ信号をＭＰＥＧ−２ストリームに符号化するＭＰＥＧエンコーダ１７と、ＭＰＥＧ−２ストリームをＤＶＤディスクに記録するドライバ２３と、テレビジョン信号からＶＢＩ情報を検出するＶＢＩスライス回路２４とを備えている。入力信号と記録信号とのＶタイミングが非同期の場合、ＭＰＥＧエンコーダ１７は、適宜フレームリピート及びフレームスキップを行う。ＭＰＥＧエンコーダ１７は、フレームリピート時には任意の１つのフレームに対してブランキングデータとしてＮｕｌｌデータを挿入し、フレームスキップ時には、任意の１つのフレームのブランキングデータからＮｕｌｌデータを削除する。【選択図】  図１
2004320081.tif 000002
【特許請求の範囲】
【請求項１】
所定の方式のテレビジョン信号が入力され、入力されたテレビジョン信号を所定のデジタル映像信号に変換するテレビジョンデコード手段と、上記デジタル映像信号を符号化して所定のフォーマットのビデオデータストリームに変換するビデオエンコード手段と、
上記ビデオデータストリームを記録媒体に記録する記録手段と、
上記テレビジョン信号の各フレームの垂直帰線消去期間内の所定の水平走査期間に含まれているブランキングデータを検出するブランキング情報検出手段と、検出した上記ブランキングデータを上記ビデオデータストリームに対して符号化する制御手段とを備え、
上記制御手段は、上記ビデオデータストリームの垂直同期周期が上記テレビジョン信号の垂直同期周期よりも短いことに対応して、上記ビデオエンコード手段が任意のタイミングで１枚のフレームをビデオデータストリームに挿入した場合、任意の１つのフレームに対してブランキングデータとしてＮｕｌｌデータを挿入することを特徴とする映像信号記録装置。
【請求項２】
上記制御手段は、
上記ビデオエンコード手段により挿入されたフレームのブランキングデータとして、上記Ｎｕｌｌデータを挿入することを特徴とする請求項１記載の映像信号記録装置。
【請求項３】
連続した２フレームに同一の制御コードがブランキングデータとして記述されている場合、デコーダ側でその制御コードに応じた制御を１回のみ行うとテレビジョン信号の方式で定められており、
上記制御手段は、
同一の制御コードが挿入された連続した２フレームの間にフレームが挿入された場合には、当該挿入フレームのブランキングデータとして上記制御コードを挿入し、挿入フレームの後のフレームのブランキングデータとしてＮｕｌｌデータを挿入することを特徴とする請求項２記載の映像信号記録装置。
【請求項４】
上記デジタル映像信号を所定の方式のテレビジョン信号に変換して、変換したテレビジョン信号を出力するテレビジョンエンコード手段をさらに備え、
上記制御手段は、出力するテレビジョン信号の垂直同期周期が、入力されたテレビジョン信号の垂直同期周期よりも短いことに対応して、上記テレビジョンエンコード手段が任意のタイミングで１枚のフレームを出力するテレビジョン信号に挿入する場合、任意の１枚のフレームに対してブランキングデータとしてＮｕｌｌデータを挿入することを特徴とする請求項１記載の映像信号記録装置。
【請求項５】
上記制御手段は、
上記テレビジョンエンコード手段により挿入されたレームのブランキングデータとして、上記Ｎｕｌｌデータを挿入することを特徴とする請求項４記載の映像信号記録装置。
【請求項６】
連続した２フレームに同一の制御コードがブランキングデータとして記述されている場合、デコーダ側でその制御コードに応じた制御を１回のみ行うとテレビジョン信号の方式で定められており、
上記制御手段は、
同一の制御コードが挿入された連続した２フレームの間にフレームが挿入された場合には、当該挿入フレームのブランキングデータとして上記制御コードを挿入し、挿入フレームの後のフレームのブランキングデータとしてＮｕｌｌデータを挿入することを特徴とする請求項５記載の映像信号記録装置。
【請求項７】
所定の方式のテレビジョン信号が入力され、入力されたテレビジョン信号を所定のデジタル映像信号に変換するテレビジョンデコード手段と、上記デジタル映像信号を符号化して所定のフォーマットのビデオデータストリームに変換するビデオエンコード手段と、
上記ビデオデータストリームを記録媒体に記録する記録手段と、
上記テレビジョン信号の各フレームの垂直帰線消去期間内の所定の水平走査期間に含まれているブランキングデータを検出するブランキング情報検出手段と、検出した上記ブランキングデータを上記ビデオデータストリームに対して符号化する制御手段とを備え、
上記制御手段は、上記ビデオデータストリームの垂直同期周期が上記テレビジョン信号の垂直同期周期よりも長いことに対応して、上記ビデオエンコード手段が任意のタイミングで１枚のフレームを削除してビデオデータストリームを符号化する場合、削除したフレームの後のフレームに挿入されているブランキングデータの中から１つのＮｕｌｌデータを削除することを特徴とする映像信号記録装置。
【請求項８】
上記制御手段は、
削除されたフレームの後のフレームに挿入されているブランキングデータであって、且つ、削除したフレームに最も近いＮｕｌｌデータを削除し、
削除されたフレームからＮｕｌｌデータが含まれていたフレームまでのブランキングデータの挿入位置を、１フレームずつ後ろにスライドさせることを特徴とする請求項７記載の映像信号記録装置。
【請求項９】
上記デジタル映像信号を所定の方式のテレビジョン信号に変換して、変換したテレビジョン信号を出力するテレビジョンエンコード手段をさらに備え、
上記制御手段は、
出力するテレビジョン信号の垂直同期周期が入力されたテレビジョン信号の垂直同期周期よりも短いことに対応して、上記テレビジョンエンコード手段が任意のタイミングで１枚のフレームを削除してテレビジョン信号を出力する場合、削除したフレームの後のフレームに挿入されているブランキングデータの中から１つのＮｕｌｌデータを削除することを特徴とする請求項７記載の映像信号記録装置。
【請求項１０】
上記制御手段は、
削除されたフレームの後のフレームに挿入されているブランキングデータであって、且つ、削除したフレームに最も近いＮｕｌｌデータを削除し、
削除されたフレームからＮｕｌｌデータが含まれていたフレームまでのブランキングデータの挿入位置を、１フレームずつ後ろにスライドさせることを特徴とする請求項９記載の映像信号記録装置。
【請求項１１】
所定の方式のテレビジョン信号を入力し、
入力したテレビジョン信号を所定のデジタル映像信号に変換し、
上記デジタル映像信号を符号化して所定のフォーマットのビデオデータストリームに変換し、
入力した上記テレビジョン信号の各フレームの垂直帰線消去期間内の所定の水平走査期間に含まれているブランキングデータを検出し、
検出した上記ブランキングデータを上記ビデオデータストリームに対して符号化し、
上記ビデオデータストリームを記録媒体に記録し、
上記ブランキングデータを上記ビデオデータストリームに対して符号化する際に、上記ビデオデータストリームの垂直同期周期が上記テレビジョン信号の垂直同期周期よりも短いことに対応して、任意のタイミングで１枚のフレームをビデオデータストリームに挿入した場合、任意の１枚のフレームに対してブランキングデータとしてＮｕｌｌデータを挿入することを特徴とする映像信号記録方法。
【請求項１２】
挿入されたフレームに対するブランキングデータとして、上記Ｎｕｌｌデータを挿入することを特徴とする請求項１１記載の映像信号記録方法。
【請求項１３】
連続した２フレームに同一の制御コードがブランキングデータとして記述されている場合、デコーダ側でその制御コードに応じた制御を１回のみ行うとテレビジョン信号の方式で定められており、
同一の制御コードが挿入された連続した２フレームの間にフレームが挿入された場合には、当該挿入フレームのブランキングデータとして上記制御コードを挿入し、挿入フレームの後のフレームのブランキングデータとしてＮｕｌｌデータを挿入することを特徴とする請求項１２記載の映像信号記録方法。
【請求項１４】
上記デジタル映像信号を所定の方式のテレビジョン信号に変換して、変換したテレビジョン信号を出力し、
上記テレビジョン信号を出力する際に、出力するテレビジョン信号の垂直同期周期が入力されたテレビジョン信号の垂直同期周期よりも短いことに対応して、上記テレビジョンエンコード手段が任意のタイミングで１枚のフレームを出力するテレビジョン信号に挿入する場合、任意の１枚のフレームに対してブランキングデータとしてＮｕｌｌデータを挿入することを特徴とする請求項１１記載の映像信号記録方法。
【請求項１５】
挿入されたフレームのブランキングデータとして上記Ｎｕｌｌデータを挿入することを特徴とする請求項１４記載の映像信号記録方法。
【請求項１６】
連続した２フレームに同一の制御コードがブランキングデータとして記述されている場合、デコーダ側でその制御コードに応じた制御を１回のみ行うとテレビジョン信号の方式で定められており、
同一の制御コードが挿入された連続した２フレームの間にフレームが挿入された場合には、当該挿入フレームのブランキングデータとして上記制御コードを挿入し、挿入フレームの後のフレームのブランキングデータとしてＮｕｌｌデータを挿入することを特徴とする請求項１５記載の映像信号記録方法。
【請求項１７】
所定の方式のテレビジョン信号を入力し、
入力したテレビジョン信号を所定のデジタル映像信号に変換し、
上記デジタル映像信号を符号化して所定のフォーマットのビデオデータストリームに変換し、
入力した上記テレビジョン信号の各フレームの垂直帰線消去期間内の所定の水平走査期間に含まれているブランキングデータを検出し、
検出した上記ブランキングデータを上記ビデオデータストリームに対して符号化し、
上記ビデオデータストリームを記録媒体に記録し、
上記ブランキングデータを上記ビデオデータストリームに対して符号化する際に、上記ビデオデータストリームの垂直同期周期が上記テレビジョン信号の垂直同期周期よりも長いことに対応して、上記ビデオエンコード手段が任意のタイミングで１枚のフレームを削除してビデオデータストリームを符号化する場合、削除したフレームの後のフレームに挿入されているブランキングデータの中から１つのＮｕｌｌデータを削除することを特徴とする映像信号記録方法。
【請求項１８】
削除されたフレームの後のフレームに挿入されているブランキングデータであって、且つ、削除したフレームに最も近いＮｕｌｌデータを削除し、
削除されたフレームからＮｕｌｌデータが含まれていたフレームまでのブランキングデータの挿入位置を、１フレームずつ後ろにスライドさせることを特徴とする請求項１７記載の映像信号記録方法。
【請求項１９】
上記デジタル映像信号を所定の方式のテレビジョン信号に変換して、変換したテレビジョン信号を出力し、
上記テレビジョン信号を出力する際に、出力するテレビジョン信号の垂直同期周期が入力されたテレビジョン信号の垂直同期周期よりも短いことに対応して、上記テレビジョンエンコード手段が任意のタイミングで１枚のフレームを削除してテレビジョン信号を出力する場合、削除したフレームの後のフレームに挿入されているブランキングデータの中から１つのＮｕｌｌデータを削除することを特徴とする請求項１７記載の映像信号記録方法。
【請求項２０】
削除されたフレームの後のフレームに挿入されているブランキングデータであって、且つ、削除したフレームに最も近いＮｕｌｌデータを削除し、
削除されたフレームからＮｕｌｌデータが含まれていたフレームまでのブランキングデータの挿入位置を、１フレームずつ後ろにスライドさせることを特徴とする請求項１９記載の映像信号記録方法。
【請求項２１】
所定の方式のテレビジョン信号が入力され、入力されたテレビジョン信号を所定のデジタル映像信号に変換するテレビジョンデコード手段と、
上記デジタル映像信号を所定の方式のテレビジョン信号に変換して、変換したテレビジョン信号を出力するテレビジョンエンコード手段と、
上記テレビジョン信号の各フレームの垂直帰線消去期間内の所定の水平走査期間に含まれているブランキングデータを検出するブランキング情報検出手段と、検出した上記ブランキングデータを出力するテレビジョン信号に対して符号化する制御手段とを備え、
上記制御手段は、出力するテレビジョン信号の垂直同期周期が、入力されたテレビジョン信号の垂直同期周期よりも短いことに対応して、上記テレビジョンエンコード手段が任意のタイミングで１枚のフレームを出力するテレビジョン信号に挿入する場合、任意の１枚のフレームに対してブランキングデータとしてＮｕｌｌデータを挿入することを特徴とする映像信号出力装置。
【請求項２２】
所定の方式のテレビジョン信号が入力され、入力されたテレビジョン信号を所定のデジタル映像信号に変換するテレビジョンデコード手段と、
上記デジタル映像信号を所定の方式のテレビジョン信号に変換して、変換したテレビジョン信号を出力するテレビジョンエンコード手段と、
上記テレビジョン信号の各フレームの垂直帰線消去期間内の所定の水平走査期間に含まれているブランキングデータを検出するブランキング情報検出手段と、検出した上記ブランキングデータを出力するテレビジョン信号に対して符号化する制御手段とを備え、
上記制御手段は、出力するテレビジョン信号の垂直同期周期が入力されたテレビジョン信号の垂直同期周期よりも短いことに対応して、上記テレビジョンエンコード手段が任意のタイミングで１枚のフレームを削除してテレビジョン信号を出力する場合、削除したフレームの後のフレームに挿入されているブランキングデータの中から１つのＮｕｌｌデータを削除することを特徴とする映像信号出力装置。
【請求項２３】
所定の方式のテレビジョン信号を入力し、
入力したテレビジョン信号を所定のデジタル映像信号に変換し、
入力した上記テレビジョン信号の各フレームの垂直帰線消去期間内の所定の水平走査期間に含まれているブランキングデータを検出し、
上記デジタル映像信号を所定の方式のテレビジョン信号に変換して、変換したテレビジョン信号を出力し、
検出した上記ブランキングデータを出力するテレビジョン信号に対して符号化し、
上記テレビジョン信号を出力する際に、出力するテレビジョン信号の垂直同期周期が入力されたテレビジョン信号の垂直同期周期よりも短いことに対応して、上記テレビジョンエンコード手段が任意のタイミングで１枚のフレームを出力するテレビジョン信号に挿入する場合、任意の１枚のフレームに対してブランキングデータとしてＮｕｌｌデータを挿入することを特徴とする映像信号出力方法。
【請求項２４】
所定の方式のテレビジョン信号を入力し、
入力したテレビジョン信号を所定のデジタル映像信号に変換し、
入力した上記テレビジョン信号の各フレームの垂直帰線消去期間内の所定の水平走査期間に含まれているブランキングデータを検出し、
上記デジタル映像信号を所定の方式のテレビジョン信号に変換して、変換したテレビジョン信号を出力し、
検出した上記ブランキングデータを出力するテレビジョン信号に対して符号化し、
上記テレビジョン信号を出力する際に、出力するテレビジョン信号の垂直同期周期が入力されたテレビジョン信号の垂直同期周期よりも短いことに対応して、上記テレビジョンエンコード手段が任意のタイミングで１枚のフレームを削除してテレビジョン信号を出力する場合、削除したフレームの後のフレームに挿入されているブランキングデータの中から１つのＮｕｌｌデータを削除することを特徴とする映像信号出力方法。
【発明の詳細な説明】
【０００１】
【発明の属する技術分野】
本発明は、ＮＴＳＣ等の所定のテレビジョン信号を入力し、入力されたテレビジョン信号をデジタル符号化してＤＶＤ等の記録媒体に記録する映像信号記録装置及び方法並びに映像信号出力装置及び方法に関する。
【０００２】
【従来の技術】
テレビジョン放送の録画や撮影画像を記録する装置として、ビデオテープレコーダに代わり、記録型ＤＶＤをメディアとして用いたＤＶＤレコーダが普及し始めている。記録型ＤＶＤは、直径１２ｃｍ、厚さ１．２ｍｍの片面で４．７Ｇバイトの容量の記録可能な光ディスクである。
【０００３】
記録型ＤＶＤには、追記型（一回のみ記録可能タイプ）と書き換え型（複数回の書き換え可能タイプ）を合わせて、ＤＶＤ−Ｒ、ＤＶＤ−ＲＷ、ＤＶＤ＋ＲＷ、ＤＶＤ＋Ｒ及びＤＶＤ−ＲＡＭの５つの種類のフォーマットが提案されている。これらのフォーマットは、ＤＶＤの民間規格団体である“ＤＶＤフォーラム”  （例えば非特許文献１を参照。）、並びに、ＤＶＤフォーラムとは異なる民間規格団体である“ＤＶＤ＋ＲＷアライアンス”  （例えば非特許文献２を参照。）から提案されている。
【０００４】
また、これらのＤＶＤ規格では、ビデオ及びオーディオの符号化方式として、ＭＰＥＧ−２方式が採用されている。ＤＶＤレコーダでは、入力されたビデオ及びオーディオ信号を、ＭＰＥＧ−２方式で圧縮符号化してＭＰＥＧ−２データストリームを生成し、生成したＭＰＥＧ−２データストリームに対してさらに対応したオーサリング処理を行って、ＤＶＤに対して記録を行う。
【０００５】
また、ＤＶＤレコーダによってＮＴＳＣのテレビジョン信号を録画する場合、入力信号の垂直同期タイミング（Ｖタイミング）と録画するＭＰＥＧ−２データのＶタイミングとを同期させずに非同期のシステムとすることがある。
【０００６】
このような非同期システムの場合、録画信号のＶタイミングが入力信号のＶタイミングの周期よりも短い場合（つまり、録画クロックの方が早い場合）、“まだ入力されていないフレームを出力しなければならない”というアンダーフローが生じてしまうタイミングがある。このような場合、そのタイミングで１つ前のフレームを繰り返し出力することにより、入力信号のＶタイミングと録画信号のＶタイミングとの同期ずれが調整される。このような調整処理を“フレームリピート処理”と呼ぶ。
【０００７】
逆に、録画信号のＶタイミングが入力信号のＶタイミングの周期よりも長い場合（つまり、録画クロックの方が遅い場合）、  “前のフレームを出力していないのにその次のフレームが入力されてしまう”というオーバーフローが生じてしまうタイミングがある。このような場合、そのタイミングで入力されたフレームを１枚削除することにより、入力信号のＶタイミングと録画信号のＶタイミングとの同期ずれが調整される。このような調整処理を“フレームスキップ処理”と呼ぶ。
【０００８】
【非特許文献１】
インターネット＜ＵＲＬ  ：ｈｔｔｐ：／／ｗｗｗ．ｄｖｄｆｏｒｕｍ．ｇｒ．ｊｐ／＞
【非特許文献２】
インターネット＜ＵＲＬ  ：ｈｔｔｐ：／／ｗｗｗ．ｄｖｄｒｗ．ｃｏｍ／＞
【０００９】
【発明が解決しようとする課題】
テレビジョン信号の放送方式には、クローズドキャプション及びテキスト情報、それらの制御データ等を、垂直帰線消去期間内の所定の水平走査期間（例えば、２１番めの水平ライン）に挿入するといった、文字多重放送やテレテキストと呼ばれる方式がある。このような垂直帰線消去期間内の所定の水平走査期間に挿入される情報は、一般に、ＶＢＩ（Ｖｅｒｔｉｃａｌ  Ｂｌａｎｋｉｎｇ  Ｉｎｆｏｒｍａｔｉｏｎ）情報と呼ばれる。この文字多重放送やテレテキストといった方式では、例えば、ＶＢＩ情報が連続したフレームにわたり伝送され、複数のフレームを合わせた全体でＶＢＩ情報として意味をなすこととなる。
【００１０】
ＤＶＤレコーダでは、このようなＶＢＩ情報が含められたテレビジョン信号を録画する場合、ＮＴＳＣやＰＡＬ方式のテレビジョン信号の段階でこれらのＶＢＩ情報を検出し、検出したＶＢＩ情報をＭＰＥＧ−２のデータストリームの各ＧＯＰのヘッダに符号化する。
【００１１】
ところで、上述したようなフレームリピート処理やフレームスキップ処理が生じた場合、例えば、ブランキング期間に挿入されているＶＢＩ情報も、フレームと同様に繰り返されたり、任意のデータが削られたりしてしまう。このため、ＶＢＩ情報の連続性が途切れてしまい、例えば、文字データであれば文字化け等が発生し、意味をなさないものとなってしまう。
【００１２】
本発明は、以上のような実情を鑑みてなされたものであり、フレームリピートやフレームスキップが生じた場合であっても、垂直帰線消去期間内の所定の水平走査期間に挿入される付加情報の連続性を確保して映像信号を記録及び出力することができる映像信号記録装置及び方法並びに映像信号出力装置及び方法を提供することを目的とする。
【００１３】
【課題を解決するための手段】
本発明に係る映像信号記録装置は、所定の方式のテレビジョン信号が入力され、入力されたテレビジョン信号を所定のデジタル映像信号に変換するテレビジョンデコード手段と、上記デジタル映像信号を符号化して所定のフォーマットのビデオデータストリームに変換するビデオエンコード手段と、上記ビデオデータストリームを記録媒体に記録する記録手段と、上記テレビジョン信号の各フレームの垂直帰線消去期間内の所定の水平走査期間に含まれているブランキングデータを検出するブランキング情報検出手段と、検出した上記ブランキングデータを上記ビデオデータストリームに対して符号化する制御手段とを備え、上記制御手段は、上記ビデオデータストリームの垂直同期周期が上記テレビジョン信号の垂直同期周期よりも短いことに対応して、上記ビデオエンコード手段が任意のタイミングで１枚のフレームをビデオデータストリームに挿入した場合、任意の１つのフレームに対してブランキングデータとしてＮｕｌｌデータを挿入する。
【００１４】
また、本発明に係る映像信号記録装置は、所定の方式のテレビジョン信号が入力され、入力されたテレビジョン信号を所定のデジタル映像信号に変換するテレビジョンデコード手段と、上記デジタル映像信号を符号化して所定のフォーマットのビデオデータストリームに変換するビデオエンコード手段と、上記ビデオデータストリームを記録媒体に記録する記録手段と、上記テレビジョン信号の各フレームの垂直帰線消去期間内の所定の水平走査期間に含まれているブランキングデータを検出するブランキング情報検出手段と、検出した上記ブランキングデータを上記ビデオデータストリームに対して符号化する制御手段とを備え、上記制御手段は、上記ビデオデータストリームの垂直同期周期が上記テレビジョン信号の垂直同期周期よりも長いことに対応して、上記ビデオエンコード手段が任意のタイミングで１枚のフレームを削除してビデオデータストリームを符号化する場合、削除したフレームの後のフレームに挿入されているブランキングデータの中から１つのＮｕｌｌデータを削除する。
【００１５】
本発明に係る映像信号記録方法は、所定の方式のテレビジョン信号を入力し、入力したテレビジョン信号を所定のデジタル映像信号に変換し、上記デジタル映像信号を符号化して所定のフォーマットのビデオデータストリームに変換し、入力した上記テレビジョン信号の各フレームの垂直帰線消去期間内の所定の水平走査期間に含まれているブランキングデータを検出し、検出した上記ブランキングデータを上記ビデオデータストリームに対して符号化し、上記ビデオデータストリームを記録媒体に記録し、上記ブランキングデータを上記ビデオデータストリームに対して符号化する際に、上記ビデオデータストリームの垂直同期周期が上記テレビジョン信号の垂直同期周期よりも短いことに対応して、任意のタイミングで１枚のフレームをビデオデータストリームに挿入した場合、任意の１枚のフレームに対してブランキングデータとしてＮｕｌｌデータを挿入する。
【００１６】
また、本発明に係る映像信号記録方法は、所定の方式のテレビジョン信号を入力し、入力したテレビジョン信号を所定のデジタル映像信号に変換し、上記デジタル映像信号を符号化して所定のフォーマットのビデオデータストリームに変換し、入力した上記テレビジョン信号の各フレームの垂直帰線消去期間内の所定の水平走査期間に含まれているブランキングデータを検出し、検出した上記ブランキングデータを上記ビデオデータストリームに対して符号化し、上記ビデオデータストリームを記録媒体に記録し、上記ブランキングデータを上記ビデオデータストリームに対して符号化する際に、上記ビデオデータストリームの垂直同期周期が上記テレビジョン信号の垂直同期周期よりも長いことに対応して、上記ビデオエンコード手段が任意のタイミングで１枚のフレームを削除してビデオデータストリームを符号化する場合、削除したフレームの後のフレームに挿入されているブランキングデータの中から１つのＮｕｌｌデータを削除する。
【００１７】
本発明に係る映像信号出力装置は、所定の方式のテレビジョン信号が入力され、入力されたテレビジョン信号を所定のデジタル映像信号に変換するテレビジョンデコード手段と、上記デジタル映像信号を所定の方式のテレビジョン信号に変換して、変換したテレビジョン信号を出力するテレビジョンエンコード手段と、上記テレビジョン信号の各フレームの垂直帰線消去期間内の所定の水平走査期間に含まれているブランキングデータを検出するブランキング情報検出手段と、検出した上記ブランキングデータを出力するテレビジョン信号に対して符号化する制御手段とを備え、上記制御手段は、出力するテレビジョン信号の垂直同期周期が、入力されたテレビジョン信号の垂直同期周期よりも短いことに対応して、上記テレビジョンエンコード手段が任意のタイミングで１枚のフレームを出力するテレビジョン信号に挿入する場合、任意の１枚のフレームに対してブランキングデータとしてＮｕｌｌデータを挿入する。
【００１８】
本発明に係る映像信号出力装置は、所定の方式のテレビジョン信号が入力され、入力されたテレビジョン信号を所定のデジタル映像信号に変換するテレビジョンデコード手段と、上記デジタル映像信号を所定の方式のテレビジョン信号に変換して、変換したテレビジョン信号を出力するテレビジョンエンコード手段と、上記テレビジョン信号の各フレームの垂直帰線消去期間内の所定の水平走査期間に含まれているブランキングデータを検出するブランキング情報検出手段と、検出した上記ブランキングデータを出力するテレビジョン信号に対して符号化する制御手段とを備え、上記制御手段は、出力するテレビジョン信号の垂直同期周期が入力されたテレビジョン信号の垂直同期周期よりも短いことに対応して、上記テレビジョンエンコード手段が任意のタイミングで１枚のフレームを削除してテレビジョン信号を出力する場合、削除したフレームの後のフレームに挿入されているブランキングデータの中から１つのＮｕｌｌデータを削除する。
【００１９】
本発明に係る映像信号出力方法は、所定の方式のテレビジョン信号を入力し、入力したテレビジョン信号を所定のデジタル映像信号に変換し、入力した上記テレビジョン信号の各フレームの垂直帰線消去期間内の所定の水平走査期間に含まれているブランキングデータを検出し、上記デジタル映像信号を所定の方式のテレビジョン信号に変換して、変換したテレビジョン信号を出力し、検出した上記ブランキングデータを出力するテレビジョン信号に対して符号化し、上記テレビジョン信号を出力する際に、出力するテレビジョン信号の垂直同期周期が入力されたテレビジョン信号の垂直同期周期よりも短いことに対応して、上記テレビジョンエンコード手段が任意のタイミングで１枚のフレームを出力するテレビジョン信号に挿入する場合、任意の１枚のフレームに対してブランキングデータとしてＮｕｌｌデータを挿入する。
【００２０】
本発明に係る映像信号出力方法は、所定の方式のテレビジョン信号を入力し、入力したテレビジョン信号を所定のデジタル映像信号に変換し、入力した上記テレビジョン信号の各フレームの垂直帰線消去期間内の所定の水平走査期間に含まれているブランキングデータを検出し、上記デジタル映像信号を所定の方式のテレビジョン信号に変換して、変換したテレビジョン信号を出力し、検出した上記ブランキングデータを出力するテレビジョン信号に対して符号化し、上記テレビジョン信号を出力する際に、出力するテレビジョン信号の垂直同期周期が入力されたテレビジョン信号の垂直同期周期よりも短いことに対応して、上記テレビジョンエンコード手段が任意のタイミングで１枚のフレームを削除してテレビジョン信号を出力する場合、削除したフレームの後のフレームに挿入されているブランキングデータの中から１つのＮｕｌｌデータを削除する。
【００２１】
【発明の実施の形態】
以下、本発明の実施の形態として本発明を適用したＤＶＤレコーダについて説明をする。
【００２２】
図１に、本発明の実施の形態のＤＶＤレコーダ１０のブロック構成図を示す。
【００２３】
本発明の実施の形態のＤＶＤレコーダ１０は、テレビジョン放送や録画テープから再生されたＡＶ信号（映像／音声信号）をＤＶＤディスクに記録し、また、ＤＶＤディスクからＡＶ信号を再生して出力する装置である。
【００２４】
ＤＶＤレコーダ１０では、ＤＶＤの民間規格団体である“ＤＶＤフォーラム”により提案されているＤＶＤ−ＶＩＤＥＯ，ＤＶＤ−Ｒ，ＤＶＤ−ＲＷ及びＤＶＤの民間規格団体である“ＤＶＤ＋ＲＷアライアンス”により提案されているＤＶＤ＋Ｒ及びＤＶＤ＋ＲＷに対する記録や再生が可能なマルチタイプのディスクレコーダである。以下、ＤＶＤレコーダ１０により記録再生が可能なこれらのＤＶＤディスクを総称する場合には、ＤＶＤディスク１と呼ぶものとする。
【００２５】
ＤＶＤレコーダ１０の内部構成について、図１を参照して説明する。
【００２６】
ＤＶＤレコーダ１０は、ビデオ入力端子（Ｖｉｎ）と、オーディオ入力端子（Ａｉｎ）と、ビデオ出力端子（Ｖｏｕｔ）と、オーディオ出力端子（Ａｏｕｔ）と、デジタルインタフェース端子（ＤＶｉｎ）と、ビデオＡ／Ｄコンバータ１１と、ビデオＤ／Ａコンバータ１２と、オーディオＡ／Ｄコンバータ１３と、オーディオＤ／Ａコンバータ１４とを備えている。
【００２７】
ビデオ入力端子（Ｖｉｎ）は、チューナ，セットトップボックスやビデオ信号再生装置等と映像ケーブルを介して接続される。ビデオ入力端子（Ｖｉｎ）には、これらの装置から、例えばＮＴＳＣやＰＡＬ等の所定の映像フォーマットの映像信号であるビデオ信号が入力される。なお、ビデオ入力端子（Ｖｉｎ）に入力されたビデオ信号は、ビデオＡ／Ｄコンバータ１１によってアナログ信号からデジタル信号に変換されて装置内に入力される。ビデオ出力端子（Ｖｏｕｔ）は、テレビジョンモニタやビデオ信号記録装置等と映像ケーブルを介して接続される。ビデオ出力端子（Ｖｏｕｔ）は、これらの装置に対して、例えばＮＴＳＣやＰＡＬ等の所定の映像フォーマットの映像信号であるビデオ信号を出力する。なお、ビデオ出力端子（Ｖｏｕｔ）から出力されるビデオ信号は、ビデオＤ／Ａコンバータ１２によってデジタル信号からアナログ信号に変換されて装置外に出力される。
【００２８】
オーディオ入力端子（Ａｉｎ）は、チューナ，セットトップボックスやオーディオ信号再生装置等とオーディオケーブルを介して接続される。オーディオ入力端子（Ａｉｎ）には、これらの装置から、例えば所定のフォーマットの音声音楽信号であるオーディオ信号が入力される。なお、オーディオ入力端子（Ａｉｎ）に入力されたオーディオ信号は、オーディオＡ／Ｄコンバータ１３によってアナログ信号からデジタル信号に変換されて装置内に入力される。オーディオ出力端子（Ａｏｕｔ）は、オーディオ装置やオーディオ信号記録装置等とオーディオケーブルを介して接続される。オーディオ出力端子（Ａｏｕｔ）は、これらの装置に対して、例えば所定のフォーマットの音声音楽信号であるオーディオ信号を出力する。なお、オーディオ出力端子（Ｖｏｕｔ）から出力されるオーディオ信号は、オーディオＤ／Ａコンバータ１４によってデジタル信号からアナログ信号に変換されて装置外に出力される。
【００２９】
デジタルインタフェース端子（ＤＶｉｎ）は、例えば、ＩＥＥＥ１３９４端子やＵＳＢ等のデジタルデータ伝送用のインタフェースケーブルを介して、ＡＶデータ（ビデオデータ及びオーディオデータ）をＤＶテープカセットから再生するＤＶプレーヤと接続される。デジタルインタフェース端子（ＤＶｉｎ）には、このＤＶプレーヤがＤＶテープカセットから再生したＤＶフォーマットのＡＶデータ（ＤＶデータ）が入力される。
【００３０】
また、ＤＶＤレコーダ１０は、ＮＴＳＣ／ＰＡＬデコーダ１５と、ＤＶデコーダ１６と、ＭＰＥＧエンコーダ１７と、ＭＰＥＧデコーダ１８と、グラフィック合成回路１９と、ＮＴＳＣ／ＰＡＬエンコーダ２０とを備えている。
【００３１】
ＮＴＳＣ／ＰＡＬデコーダ１５は、ビデオ入力端子（Ｖｉｎ）から入力され、ビデオＡ／Ｄコンバータ１１によりデジタル化されたＮＴＳＣ又はＰＡＬフォーマット等のビデオ信号を、ＩＴＵ−Ｒ  ＢＴ．６０１フォーマットのビデオ信号に変換する。
【００３２】
ＤＶデコーダ１６は、デジタルインタフェース端子（ＤＶｉｎ）から入力されたＤＶデータを、ＩＴＵ−Ｒ  ＢＴ．６０１フォーマットのビデオ信号及び所定のフォーマットのオーディオ信号に変換する。
【００３３】
ＭＰＥＧエンコーダ１７は、ＩＴＵ−Ｒ  ＢＴ．６０１フォーマットのビデオ信号、及び、オーディオＡ／Ｄコンバータ１３によりデジタル化された所定のフォーマットのオーディオ信号が入力され、これらをＭＰＥＧ−２方式で圧縮符号化してＭＰＥＧ−２方式のＡＶデータストリーム（ＭＰＥＧ−２ストリーム）を生成する。
【００３４】
ＭＰＥＧデコーダ１８は、ＭＰＥＧ−２ストリームが入力され、これを伸張復号して、ＩＴＵ−Ｒ  ＢＴ．６０１フォーマットのビデオ信号及び所定のフォーマットのオーディオ信号を生成する。
【００３５】
グラフィック合成回路１９は、ＩＴＵ−Ｒ  ＢＴ．６０１フォーマットのビデオ信号の表示画面上に、外部入力されたオンスクリーンディスプレイ画像（ＯＳＤ画像）を合成する処理を行う。
【００３６】
ＮＴＳＣ／ＰＡＬエンコーダ２０は、グラフィック合成回路１９から出力されたＩＴＵ−Ｒ  ＢＴ．６０１フォーマットのビデオ信号を、ＮＴＳＣ又はＰＡＬフォーマットのビデオ信号に変換し、ビデオ出力端子（Ｖｏｕｔ）から出力する。
【００３７】
また、ＤＶＤレコーダ１０は、ビデオ信号及びオーディオ信号の伝送経路を切り換えるスイッチング回路２１を備えている。
【００３８】
スイッチング回路２１は、記録時と再生時とで伝送経路を切り換え、さらに、記録時には、ＤＶデータとそれ以外の信号の入力時とで伝送経路を切り換える。
【００３９】
具体的には、スイッチング回路２１は次のように経路を切り換える。すなわち、ＤＶデータ以外の信号を記録する場合には、スイッチング回路２１は、ＮＴＳＣ／ＰＡＬデコーダ１５から出力されたビデオ信号をＭＰＥＧエンコーダ１７及びグラフィック合成回路１９に供給し、オーディオＡ／Ｄコンバータ１３から出力されたオーディオ信号をＭＰＥＧエンコーダ１７及びオーディオＤ／Ａコンバータ１４に供給するように伝送経路を切り換える。また、ＤＶデータを記録する場合には、スイッチング回路２１は、ＤＶデコーダ１６から出力されたビデオ信号をＭＰＥＧエンコーダ１７及びグラフィック合成回路１９に供給し、ＤＶデコーダ１６から出力されたオーディオ信号をＭＰＥＧエンコーダ１７及びオーディオＤ／Ａコンバータ１４に供給するように伝送経路を切り換える。また、再生をする場合には、スイッチング回路２１は、ＭＰＥＧデコーダ１８から出力されたビデオ信号をグラフィック合成回路１９に供給し、ＭＰＥＧデコーダ１８から出力されたオーディオ信号をオーディオＤ／Ａコンバータ１４に供給するように伝送経路を切り換える。
【００４０】
また、ＤＶＤレコーダ１０は、バッファ回路２２と、ドライブ装置２３とを備えている。
【００４１】
バッファ回路２２は、ＤＶＤディスク１に対して記録及び再生される、ＭＰＥＧ−２ストリーム及び制御データストリームを一時的に格納するメモリである。ドライブ装置２３は、ＤＶＤディスク１が装着され、装着されているＤＶＤディスク１に対して物理的にアクセスを行いデータの記録及び再生を行う装置である。なお、制御データストリームとは、ＤＶＤディスク１のフォーマットに規定されているインフォメーション情報等が含まれているデータストリームである。
【００４２】
また、ＤＶＤレコーダ１０は、ＶＢＩスライス回路２４を備えている。
【００４３】
ＶＢＩスライス回路２４は、ビデオ信号のブランキング期間に含まれているインフォメーション情報（ＶＢＩ情報）を、ビデオ入力端子（Ｖｉｎ）から入力されたビデオ信号から検出する回路である。
【００４４】
また、ＤＶＤレコーダ１０は、入力装置２５と、システムコントローラ２６とを備えている。
【００４５】
入力装置２５は、例えば赤外線リモートコントローラ等の入力デバイスであり、ユーザによりＤＶＤレコーダ１０を操作するための情報入力が行われる装置である。入力装置２５から入力された情報は、システムコントローラ２６に供給される。
【００４６】
システムコントローラ２６は、上述した各回路に対する設定及び制御を行うマイクロコンピュータ等から構成される制御ブロックである。
【００４７】
システムコントローラ２６により行われる具体的な処理には、例えば次のようなものがある。
【００４８】
例えば、システムコントローラ２６は、制御データストリームをバッファ回路２２から読み出してその制御データに基づいたＤＶＤディスク１に対するアクセス制御、表示制御等を行う。システムコントローラ２６は、データの記録開始時や終了時に、記録する、又は、記録したデータに関する制御情報を生成し、その制御情報をフォーマットに従ったデータストリームとしてＤＶＤディスク１に記録する。システムコントローラ２６は、ＭＰＥＧ−２ストリームのヘッダ情報の生成及びヘッダ情報の解析を行う。
【００４９】
また、システムコントローラ２６は、例えばメニュー画面等のＯＳＤ画像を生成し、生成したＯＳＤ画像をグラフィック合成回路１９に供給して、当該ＯＳＤ画像をテレビジョンモニタ上に表示させる。さらに、システムコントローラ２６は、入力装置２５からの入力情報に従ってＯＳＤ画像を適宜更新し、変更したＯＳＤ画像をテレビジョンモニタ上に表示させる。システムコントローラ２６は、入力装置２５からの入力に従って各種の制御を行ったり、現在表示しているＯＳＤ画像と現在入力された入力情報とに基づき決定される所定の制御を行ったりする。
【００５０】
また、システムコントローラ２６は、入力されたビデオ信号から検出されたＶＢＩ情報がＶＢＩスライス回路２４から供給され、このＶＢＩ情報に示されている複数の情報のうち、必要な情報をＭＰＥＧエンコーダ１７に供給し、ＭＰＥＧ−２ストリームのヘッダ情報にエンコードさせる。システムコントローラ２６は、再生時には、ＭＰＥＧ−２ストリームのヘッダ情報から検出された情報のうち、必要な情報に基づきＶＢＩ情報を生成し、生成したＶＢＩ情報をＮＴＳＣ／ＰＡＬエンコーダ２０に供給して、出力するビデオ信号の所定のブランキング位置にエンコードさせる。
【００５１】
以上のような構成のＤＶＤレコーダ１０の記録時の動作は、次のようになる。
【００５２】
記録時には、ＤＶＤレコーダ１０には、ビデオ信号及びオーディオ信号が外部から入力される。入力されたビデオ信号は、ＮＴＳＣ／ＰＡＬデコーダ１５又はＤＶデコーダ１６によりＩＴＵ−Ｒ  ＢＴ．６０１フォーマットのビデオ信号に変換される。ＩＴＵ−Ｒ  ＢＴ．６０１フォーマットのビデオ信号は、スイッチング回路２１を介してＭＰＥＧエンコーダ１７に供給され、オーディオ信号とともにＭＰＥＧ−２ストリームに符号化される。バッファ回路２２は、ＭＰＥＧエンコーダ１７により符号化されたＭＰＥＧ−２ストリームを一時的に格納するとともに、システムコントローラ２６により生成された制御データストリームも一時的に格納する。そして、ＤＶＤレコーダ１０では、ドライブ装置２３が、ＤＶＤディスク１のフォーマットに従った順序でＭＰＥＧ−２ストリーム及び制御データストリームをバッファ回路２２から読み出し、読み出したデータをＤＶＤディスク１に記録していく。
【００５３】
また、さらに、ＤＶＤレコーダ１０では、記録中の映像及び音声をユーザがリアルタイムでＥＥモニタができるように次のような動作も行っている。
【００５４】
ＮＴＳＣ／ＰＡＬデコーダ１５又はＤＶデコーダ１６によりＩＴＵ−Ｒ  ＢＴ．６０１フォーマットに変換されたビデオ信号は、スイッチング回路２１を介して、グラフィック合成回路１９にも供給される。グラフィック合成回路１９に供給されたビデオ信号は、システムコントローラ２６によりＯＳＤ画像が出力されている場合にはＯＳＤ画像と合成され、ＯＳＤ画像が出力されていない場合にはそのままＮＴＳＣ／ＰＡＬエンコーダ２０に供給される。ＮＴＳＣ／ＰＡＬエンコーダ２０に供給されたＩＴＵ−Ｒ  ＢＴ．６０１フォーマットのビデオ信号は、ＮＴＳＣ又はＰＡＬフォーマットのビデオ信号に変換され、アナログ信号に変換されて外部に出力される。また、入力されたオーディオ信号は、スイッチング回路２１を介し、アナログ信号に変換された後に外部に出力される。
【００５５】
また、ＤＶＤレコーダ１０の再生時の動作は、次のようになる。
【００５６】
再生時には、ドライブ装置２３は、ＤＶＤディスク１からＭＰＥＧ−２ストリーム及び制御データストリームを読み出して、バッファ回路２２に格納する。バッファ回路２２に格納されているＭＰＥＧ−２ストリームは、ＭＰＥＧデコーダ１８により読み出され、制御データストリームはシステムコントローラ２６により読み出される。読み出されたＭＰＥＧ−２ストリームは、ＭＰＥＧデコーダ１８によりＩＴＵ−Ｒ  ＢＴ．６０１フォーマットのビデオ信号及びオーディオ信号に復号される。復号されたオーディオ信号は、スイッチング回路２１を介してアナログ信号に変換された後に外部に出力される。復号されたＩＴＵ−Ｒ  ＢＴ．６０１フォーマットのビデオ信号は、スイッチング回路２１を介して、グラフィック合成回路１９に供給される。グラフィック合成回路１９に供給されたビデオ信号は、システムコントローラ２６によりＯＳＤ画像が出力されている場合にはＯＳＤ画像と合成され、ＯＳＤ画像が出力されていない場合にはそのままＮＴＳＣ／ＰＡＬエンコーダ２０に供給される。ＮＴＳＣ／ＰＡＬエンコーダ２０に供給されたＩＴＵ−Ｒ  ＢＴ．６０１フォーマットのビデオ信号は、ＮＴＳＣ又はＰＡＬフォーマットのビデオ信号に変換され、アナログ信号に変換されたのちに外部に出力される。また、システムコントローラ２６は、読み出した制御データストリームに従い、例えばディスクの読み出し位置の制御や各種の表示制御等を行う。
【００５７】
（フレームリピート及びフレームスキップ）
つぎに、フレームリピート処理及びフレームスキップ処理について説明をする。
【００５８】
ＤＶＤレコーダ１０では、ビデオ入力端子１１から入力されるビデオ信号（入力ビデオ信号）と、ＭＰＥＧエンコーダ１７により符号化されるビデオ信号（記録ビデオ信号）との垂直同期タイミング（Ｖタイミング）の同期が取られていない、いわゆる非同期システムとなっている。また、ビデオ入力端子１１から入力されるビデオ信号（入力ビデオ信号）と、ＥＥモニタ用としてビデオ出力端子１３から出力されるビデオ信号（出力ビデオ信号）との同期も取られていない。
【００５９】
そのため、ＤＶＤレコーダ１０では、録画時には、ＭＰＥＧエンコーダ１７及びＮＴＳＣ／ＰＡＬエンコーダ２０が、システムコントローラ２６の制御に従って、フレームリピート処理及びフレームスキップ処理を行っている。なお、ＭＰＥＧエンコーダ１７とＮＴＳＣ／ＰＡＬエンコーダ２０とは、互いに独立したタイミングで、フレームリピート処理及びフレームスキップ処理が行われる。
【００６０】
図２（Ａ）は、フレームリピート処理を示す図である。フレームリピート処理は、録画ビデオ信号（又は出力ビデオ信号）のＶタイミングが、入力ビデオ信号のＶタイミングの周期よりも短い場合に発生する。フレームリピート処理は、図２（Ａ）の第１フレーム及び第７フレームに示すように、“まだ入力されていないフレームを出力しなければならない”というアンダーフローのタイミングが生じた場合、１つ前のフレームをコピーしてそのまま繰り返し出力することにより、Ｖタイミングのずれを調整する処理である。
【００６１】
図２（Ｂ）は、フレームスキップ処理を示す図である。フレームスキップ処理は、録画ビデオ信号（又は出力ビデオ信号）のＶタイミングが、入力ビデオ信号のＶタイミングの周期よりも長い場合に発生する。フレームスキップ処理は、図２（Ｂ）の第７フレームに示すように、“フレームを出力していないのにその次のフレームが入力されてしまう”というオーバーフローのタイミングが生じた場合、その出力していないフレームを削除することにより、Ｖタイミングのずれを調整する処理である。
【００６２】
また、フレームリピート処理が発生した場合、ＭＰＥＧエンコーダ１７及びＮＴＳＣエンコーダ２０では、図３に示すような、ＶＢＩの挿入処理を行う。図３（Ａ）は、入力ビデオ信号に挿入されているＶＢＩ情報を示し、図３（Ｂ）は、図３（Ａ）の入力ビデオ信号に対して通常のフレームリピートが発生した場合における記録ビデオ信号（出力ビデオ信号）に挿入されるＶＢＩ情報を示し、図３（Ｃ）は、図３（Ａ）の入力ビデオ信号に対して特殊なフレームリピートが発生した場合における記録ビデオ信号（出力ビデオ信号）に挿入されるＶＢＩ情報を示している。なお、図３では、上段にフレーム番号、下段にそのフレームに挿入されているＶＢＩ情報が示されている。
【００６３】
まず、通常のフレームリピート処理が発生した場合、図３（Ｂ）の第２フレームに示すように、コピーフレームが挿入され、同一のフレームが２回連続して出力されるが、そのコピーフレームに挿入するＶＢＩ情報には、Ｎｕｌｌコード（情報なしを意味するコード。０ｘ８０８０）を書き込む。
【００６４】
ただし、図３（Ｃ）の第６フレームに示すように、テキスト情報ではなく、制御コード（Ｃｏｎｔ．１）が挿入されているフレームがフレームリピート処理によってコピーされた場合には、そのコピーフレームについては、そのまま制御コードを挿入し、その次のフレーム（図３（Ｃ）の第７フレーム）をＮｕｌｌコードとする。
【００６５】
アメリカ合衆国における文字放送の規格では、例えば、テキスト情報とともに、“テキストをロールアップする”、“字幕ローディングする”等の各種の制御コードが挿入されることが規定されている。上記文字放送の規格では、このような制御コードが２つの連続したフレームに挿入されている場合には、受信側（デコード側）では、その制御コードは１つとみなして１回のみの制御動作を行う、と規定されている。そのため、連続した２つのフレーム間にフレームリピートが発生して、制御コードと制御コードとの間にＮｕｌｌコードを挿入してしまうと、本来、１回の制御動作しか行わせないはずであったのに、２回の制御動作を行わせてしまうこととなる。そのため、ＤＶＤレコーダ１０では、図３（Ｃ）のような処理を行っている。
【００６６】
以上のように処理を行うことによって、ＤＶＤレコーダ１０では、フレームリピート処理が発生した場合であっても、ＶＢＩ情報の連続性を確保してビデオ信号の記録及び出力をすることができる。
【００６７】
また、フレームスキップ処理が発生した場合、ＭＰＥＧエンコーダ１７及びＮＴＳＣエンコーダ２０では、図４に示すようなＶＢＩの符号化処理を行う。図４（Ａ）は、入力ビデオ信号に挿入されているＶＢＩ情報を示し、図４（Ｂ）は、図４（Ａ）の入力ビデオ信号に対して通常のフレームスキップが発生した場合における記録ビデオ信号（出力ビデオ信号）に挿入されるＶＢＩ情報を示し、図４（Ｃ）は、図４（Ａ）の入力ビデオ信号に対して特殊なフレームスキップが発生した場合における記録ビデオ信号（出力ビデオ信号）に挿入されるＶＢＩ情報を示している。なお、図４では、上段にフレーム番号、下段にそのフレームに挿入されているＶＢＩ情報が示されている。
【００６８】
まず、通常のフレームスキップ処理が発生した場合、図４（Ｂ）の第５フレームに示すように、スキップされたフレームが削除されるが、その削除フレームに挿入されていたＶＢＩ情報がＮｕｌｌコード（情報なしを意味するコード。）であれば、同時にそのＮｕｌｌコードも削除する。
【００６９】
ただし、図４（Ｃ）の第３フレームに示すように、Ｎｕｌｌコード以外の情報が挿入されているフレームがフレームスキップ処理によって削除された場合には、その削除フレームよりも後のフレームに挿入されている直近のＮｕｌｌコードを削除する（例えば、図４（Ｃ）の第５フレームのＮｕｌｌコード）。そして、当該削除フレームに挿入されていたＶＢＩ情報を１つ後段のフレームにスライドさせるとともに、その削除フレームからＮｕｌｌコードが挿入されていたフレームまでのＶＢＩ情報を、１フレームずつ後段にスライドさせる。
【００７０】
以上のように処理を行うことによって、ＤＶＤレコーダ１０では、フレームスキップ処理が発生した場合であっても、ＶＢＩ情報の連続性を確保してビデオ信号の記録及び出力をすることができる。
【００７１】
以上のように本発明の実施の形態のＤＶＤレコーダ１０では、フレームリピートやフレームスキップが生じた場合であっても、垂直帰線消去期間内の所定の水平走査期間に挿入されるＶＢＩの連続性を確保した状態で、映像信号をＤＶＤに記録することができる。
【００７２】
【発明の効果】
本発明に係る映像信号記録装置及び方法並びに映像信号出力装置及び方法では、記録媒体に記録するビデオデータストリーム又は出力テレビジョン信号の垂直同期周期が、入力されたテレビジョン信号の垂直同期周期よりも短いことに対応してフレームリピート処理をする場合、垂直帰線消去期間内の所定の水平走査期間に挿入するブランキングデータとして任意のフレームに１つのＮｕｌｌデータを挿入する。
【００７３】
本発明に係る映像信号記録装置及び方法では、記録媒体に記録するビデオデータストリーム又は出力テレビジョン信号の垂直同期周期が入力されたテレビジョン信号の垂直同期周期よりも長いことに対応してフレームスキップ処理をする場合、垂直帰線消去期間内の所定の水平走査期間に挿入するブランキングデータから１つのＮｕｌｌデータを削除する。
【００７４】
以上の処理を行うことにより本発明では、フレームリピートやフレームスキップが生じた場合であっても、垂直帰線消去期間内の所定の水平走査期間に挿入される付加情報の連続性を確保して映像信号を記録及び出力することができる。
【図面の簡単な説明】
【図１】本発明の実施の形態のＤＶＤレコーダのブロック構成図である。
【図２】フレームリピート及びフレームスキップを説明するための図である。
【図３】フレームリピート時のＶＢＩ情報の挿入方法について説明するための図である。
【図４】フレームスキップ時のＶＢＩ情報の削除方法について説明するための図である。
【符号の説明】
１  ＤＶＤディスク、１０  ＤＶＤレコーダ、１５  ＮＴＳＣ／ＰＡＬデコーダ、１６  ＤＶデコーダ、１７  ＭＰＥＧエンコーダ、１８  ＭＰＥＧデコーダ、１９  グラフィック合成回路、２０  ＮＴＳＣ／ＰＡＬエンコーダ、２１  スイッチング回路、２２  バッファ回路、２３  ドライブ回路、２４  ＶＢＩスライス回路、２５  入力装置、２６  システムコントローラ
【図１】
2004320081.tif 000003
【図２】
2004320081.tif 000004
【図３】
2004320081.tif 000005
【図４】
2004320081.tif 000006